(57)【要約】【課題】異形形状であり且つ容易に施工可能な壁貼付部材、壁貼付部材の製造方法、及び、壁貼付部材の施工方法を提供する。【解決手段】貼り付け領域８０を覆った状態で壁８に貼り付け可能な帯状の壁貼付部材１であって、樹脂製であり且つ帯状の基材層２とこの一面に設けられる接着部材層３とを備え、基材層２は、壁８に貼り付けられた状態で上側及び下側に位置する上端縁２４及び下端縁２３を有し、基材層２の下端縁２３は長手方向に沿って延びる直線状であり、基材層２の幅は長手方向において不均一であり、基材層２の一面の基材層２の下端縁２３から所定幅において広がる領域は壁８への貼り付けの際に接着剤が直接又は間接に塗布されることにより壁８に被着される被着領域２５であり、接着部材層３は基材層２の一面の被着領域２５よりも基材層２の上端縁側に配置される、壁貼付部材１。【選択図】図４
2020033817.tif 000002
【特許請求の範囲】
【請求項１】
壁における該壁と床との境界から所定幅で広がる領域を覆った状態で前記壁に貼り付け可能な帯状の壁貼付部材であって、
樹脂製であり且つ帯状の基材層と、
前記基材層の一面の一部に設けられる接着部材層と、を備え、
前記基材層は、前記壁に貼り付けられた状態においてそれぞれ上側及び下側に位置する上端縁及び下端縁を有し、
前記基材層の下端縁は、前記基材層の長手方向に沿って延びる略直線状であり、
前記基材層の上端縁と下端縁との間の幅は、該基材層の長手方向において不均一であり、
前記基材層の一面の前記基材層の下端縁から所定幅において広がる領域は、前記壁への貼り付けの際に接着剤が直接又は間接に塗布されることにより前記壁に被着される被着領域であり、
前記接着部材層は、前記基材層の一面の前記被着領域よりも前記基材層の上端縁側に配置されている、壁貼付部材。
【請求項２】
請求項１に記載の壁貼付部材の製造方法であって、
所定幅で長尺帯状に形成された基材原反部材の一面に所定幅で該基材原反部材の長尺方向に延びる接着部材帯状層を設ける工程と、
前記接着部材層の幅が該接着部材層の長手方向において不均一となるよう、前記接着部材帯状層及び前記基材原反部材を切断する工程と、を含む、壁貼付部材の製造方法。
【請求項３】
請求項１に記載の壁貼付部材の施工方法であって、
前記被着領域、及び、前記壁における前記被着領域が重ねられる領域のうち少なくとも一方に接着剤を塗布する工程と、
塗布された接着剤及び前記接着部材層を用いて前記壁に前記壁貼付部材を貼り付ける工程と、を含む、壁貼付部材の施工方法。
【請求項４】
前記壁のうち前記被着領域が重ねられる領域において、前記壁の表面に設けられた壁紙を剥がす工程を含み、
前記貼り付ける工程では、前記壁紙を剥がした領域において、前記塗布する工程で塗布した接着剤を用いて前記壁貼付部材を貼り付ける、請求項３に記載の前記壁貼付部材の施工方法。
【請求項５】
壁と、
下側に位置し且つ前記壁における該壁と床との境界に沿って延びる下端縁及び上側に位置する上端縁を有すると共に、前記壁の表面に接する接着剤層と、
下側に位置し且つ前記接着剤層の上端縁に沿って延びる下端縁及び上側に位置する上端縁を有すると共に、前記壁の表面に接する接着部材層と、
上側に位置し該接着部材層の上端縁と一致する上端縁及び下側に位置し該接着剤層の下端縁と一致する下端縁を有すると共に、前記接着剤層の表面及び前記接着部材層の表面にそれぞれ接し、樹脂製であり且つ帯状の基材層と、を含み、
前記基材層は、該接着剤層及び該接着部材層を介して該壁に固定され、
該基材層の上端縁と下端縁との間の幅は、該基材層の長手方向において不均一である、構造体。
【発明の詳細な説明】
【技術分野】
【０００１】
本発明は、巾木や腰壁等の壁貼付部材、この壁貼付部材の製造方法や施工方法、及び、構造体に関する。
【背景技術】
【０００２】
従来、壁に貼り付けられる壁貼付部材として巾木が公知である（特許文献１）。例えば、図２０に示すように、化粧幅木１０１は、合成樹脂板１０２と、合成樹脂板１０２の下端に接続された舌状体１０３と、を有する。また、化粧幅木１０１の形状は、帯状であり、上端縁と下端縁の幅が長手方向において一定な矩形状である。この矩形状の巾木は、施工職人が壁面に施工する際、壁面に接着剤を矩形状に真っ直ぐに塗布した後、貼付けが行われる。
【先行技術文献】
【特許文献】
【０００３】
【特許文献１】特開２００５−８２９８３号公報
【発明の概要】
【発明が解決しようとする課題】
【０００４】
本願発明者らは、新たなデザイン提案として、上端縁が波形に形成されるなど従来の矩形状とは異なる異形形状の壁貼付部材を開発するに至った。しかしながら、施工職人が施工する際、波形などの巾木の形状に合わせて接着剤を壁に塗布することが困難であることが分かった。これは、巾木だけでなく、腰壁などの壁貼付部材全般においても同様である。
【０００５】
本発明は、異形形状であると共に、容易に施工可能な壁貼付部材、壁貼付部材の製造方法、壁貼付部材の施工方法、及び、構造体を提供することを目的とする。
【課題を解決するための手段】
【０００６】
本発明の壁貼付部材は、壁における該壁と床との境界から所定幅で広がる領域を覆った状態で前記壁に貼り付け可能な帯状の壁貼付部材であって、樹脂製であり且つ帯状の基材層と、前記基材層の一面の一部に設けられる接着部材層と、を備え、前記基材層は、前記壁に貼り付けられた状態においてそれぞれ上側及び下側に位置する上端縁及び下端縁を有し、前記基材層の下端縁は、前記基材層の長手方向に沿って延びる直線状であり、前記基材層の幅は、該基材層の長手方向において不均一であり、前記基材層の一面の前記基材層の下端縁から所定幅において広がる領域は、前記壁への貼り付けの際に接着剤が直接又は間接に塗布されることにより前記壁に被着される被着領域であり、前記接着部材層は、前記基材層の一面の前記被着領域よりも前記基材層の上端縁側に配置されている。
【０００７】
かかる構成によれば、基材層の幅が長手方向において不均一であるので、壁貼付部材を異形形状とすることができる。また、壁貼付部材における上端側に接着部材層が配置されているため、壁貼付部材の施工の際に接着剤の塗布が必要な領域が、接着部材層よりも下側に位置する単純な形状を有する被着領域であることにより、異形形状の壁貼付部材の施工が容易になる。
【０００８】
本発明の壁貼付部材の製造方法は、前記壁貼付部材の製造方法であって、所定幅で長尺帯状に形成された基材原反部材の一面に所定幅で該基材原反部材の長尺方向に延びる接着部材帯状層を設ける工程と、前記接着部材層の幅が該接着部材層の長手方向において不均一となるよう、前記接着部材帯状層及び前記基材原反部材を切断する工程と、を含む。
【０００９】
かかる構成によれば、接着部材帯状層が設けられた基材原反部材を、接着部材層の幅が長手方向において不均一となるよう切断することで、壁貼付部材における上端縁側に接着部材層が配置された壁貼付部材、即ち、壁貼付部材の施工の際に接着剤の塗布が必要な領域が単純な形状の被着領域である壁貼付部材を製造することができるため、異形形状であると共に施工が容易な壁貼付部材を製造することができる。
【００１０】
本発明の壁貼付部材の施工方法は、前記壁貼付部材の施工方法であって、前記被着領域、及び、前記壁における前記被着領域が重ねられる領域のうち少なくとも一方に接着剤を塗布する工程と、塗布された接着剤及び前記接着部材層を用いて前記壁に前記壁貼付部材を貼り付ける工程と、を含む。
【００１１】
かかる構成によれば、壁貼付部材における上端縁側に接着部材層が配置されているため、壁貼付部材の施工の際に接着剤の塗布が必要な領域が、接着部材層よりも下側に位置する単純な形状を有する被着領域、或いは、壁における被着領域が重ねられる領域であることから、異形形状の壁貼付部材を容易に施工することができる。
【００１２】
また、前記壁貼付部材の施工方法は、前記壁のうち前記被着領域が重ねられる領域において、前記壁の表面に設けられた壁紙を剥がす工程を含み、前記貼り付ける工程では、前記壁紙を剥がした領域において、前記塗布する工程で塗布した接着剤を用いて前記壁貼付部材を貼り付けてもよい。
【００１３】
かかる構成によれば、被着領域と重なる領域において壁紙を剥がすことで、被着領域を強固に接着することができる。
【００１４】
本発明の構造体は、壁と、下側に位置し且つ前記壁における該壁と床との境界に沿って延びる下端縁及び上側に位置する上端縁を有すると共に、前記壁の表面に接する接着剤層と、下側に位置し且つ前記接着剤層の上端縁に沿って延びる下端縁及び上側に位置する上端縁を有すると共に、前記壁の表面に接する接着部材層と、上側に位置し該接着部材層の上端縁と一致する上端縁及び下側に位置し該接着剤層の下端縁と一致する下端縁を有すると共に、前記接着剤層の表面及び前記接着部材層の表面にそれぞれ接し、樹脂製であり且つ帯状の基材層と、を含み、前記基材層は、該接着剤層及び該接着部材層を介して該壁に固定され、該基材層の上端縁と下端縁との間の幅は、該基材層の長手方向において不均一である。
【００１５】
かかる構成によれば、基材層の幅が長手方向において不均一であるので、基材層を異形形状とすることができる。また、基材層における上端側に接着部材層が配置されているため、施工の際に接着剤の塗布することで得られる接着剤層が、接着部材層よりも下側に位置する単純な形状を有する被着領域であることにより、異形形状の基材層を容易に施工することで構造体が得られる。
【発明の効果】
【００１６】
以上より、本発明によれば、異形形状であると共に、容易に施工可能な壁貼付部材、壁貼付部材の製造方法、壁貼付部材の施工方法、及び、構造体を提供することができる。
【図面の簡単な説明】
【００１７】
【図１】図１は、本実施形態に係る壁貼付部材の平面図である。
【図２】図２は、図１のＩＩ−ＩＩ位置における断面図である。
【図３】図３は、前記壁貼付部材の斜視図である。
【図４】図４は、壁に貼り付けられた状態の前記壁貼付部材の斜視図である。
【図５】図５は、前記壁貼付部材の製造方法における準備工程を説明するための模式図である。
【図６】図６は、前記壁貼付部材の製造方法における接着部材帯状層を設ける工程を説明するための模式図である。
【図７】図７は、前記壁貼付部材の製造方法における切断工程を説明するための模式図である。
【図８】図８は、前記壁貼付部材の施工方法における壁紙を剥がす工程を説明するための模式図である。
【図９】図９は、前記壁貼付部材の施工方法における離型紙の端部を剥がす工程を説明するための模式図である。
【図１０】図１０は、前記壁貼付部材の施工方法における壁貼付部材を貼り付ける工程及び離型紙の端部を除いた領域を剥がす工程を説明するための模式図である。
【図１１】図１１は、本実施形態に係る構造体の模式図である。
【図１２】図１２は、変形例に係る壁貼付部材の平面図であり、図１２（ａ）は上端縁が三角波状である態様を示し、図１２（ｂ）は上端縁がランダムな波状である態様を示し、図１２（ｃ）は上端縁が矩形波状である態様を示す。
【図１３】図１３は、変形例に係る壁貼付部材の平面図であり、図１３（ａ）は上端縁の中央が突出した態様を示し、図１３（ｂ）は上端縁が下端縁に対して傾斜した態様を示す。
【図１４】図１４は、変形例に係る壁貼付部材の平面図である。
【図１５】図１５は、変形例に係る壁貼付部材の平面図である。
【図１６】図１６は、変形例に係る壁貼付部材の平面図である。
【図１７】図１７は、変形例に係る壁貼付部材の製造方法における切断工程を説明するための図である。
【図１８】図１８は、変形例に係る壁貼付部材の製造方法における切断工程を説明するための図である。
【図１９】図１９は、変形例に係る壁貼付部材の製造方法における切断工程を説明するための図である。
【図２０】図２０は、従来の化粧幅木の斜視図である。
【発明を実施するための形態】
【００１８】
以下、本発明の実施形態について、図１〜図１０を参照しつつ説明する。壁貼付部材１は、図１、図３に示すように、異形形状を有する帯状の部材である。壁貼付部材１は、図２に示すように、樹脂製であり且つ帯状の基材層２と、基材層２の一面２０の一部２１に設けられる接着部材層３と、を備える。本実施形態の壁貼付部材１は、接着部材層３の基材層２が設けられた一面３０とは反対側の他面３１に設けられた離型紙４を備える。
【００１９】
壁貼付部材１は、壁８における床との境界から広がる領域を覆った状態で壁８に貼り付け可能である。具体的に、壁貼付部材１は、図４に示すように、壁８における壁８と床９との境界αから所定幅で広がる領域である貼り付け領域８０を覆った状態で、壁８に貼り付け可能である。例えば、複数の壁貼付部材１は、基材層２の長手方向において並んだ状態で、且つ、隣り合う基材層２の長手方向における端縁を互いに突き合せた状態で、壁８に貼り付け可能である。壁貼付部材１は巾木や腰壁等の部材であり、本実施形態の壁貼付部材１は巾木を例示している。
【００２０】
本実施形態の壁８の表面には、壁紙８１が設けられている。また、本実施形態において、壁貼付部材１を貼り付けられる壁８表面の貼り付け領域８０の幅は、境界αに垂直な方向における寸法である。即ち、本実施形態の貼り付け領域８０の幅は、壁の高さ方向に沿った寸法である。
【００２１】
さらに、本実施形態の貼り付け領域８０は、壁紙８１が剥がされた部位と、壁紙８１が設けられた部位と、を含む。また、この貼り付け領域８０の幅は、境界αの延びる方向において不均一であり、且つ上端縁２４の異形形状によって連続的に変化する。尚、貼り付け領域８０のうち壁紙が剥がされた部位の幅は、境界αの延びる方向において均一である。
【００２２】
壁貼付部材１は、基材層２と接着部材層３と離型紙４とから構成されており、壁８貼り付けられた状態においては、離型紙４が取り除かれ基材層２と接着部材層３のみの構成となっている。壁貼付部材１の投影形状は、基材層２の投影形状と一致している
壁貼付部材１が壁８に貼り付けられた状態において、基材層２は、それぞれ、上側及び下側に位置する上端縁２４及び下端縁２３を有する。また、基材層２の幅は、基材層２の長手方向において上端縁２４の異形形状によって不均一である。尚、基材層２の幅とは、基材層２の長手方向と直交する方向における基材層２の寸法であり、例えば、下端縁２３と上端縁２４との間の寸法である。基材層２は、下端縁２３が直線状に形成され、上端縁２４が下端縁２３と平行ではない異形形状に形成される。さらに、基材層２の一面２０の下端縁２３から所定幅において広がる領域は、壁８への取り付けの際に接着剤が直接又は間接に塗布されることにより壁８に被着される被着領域２５である（図１及び図２参照）。尚、被着領域２５の幅（所定幅）は、一定であってもよいし、不均一であってもよいが、施工時に接着剤を塗布し易いことから一定のほうが好ましい。本実施形態の被着領域２５の幅は、一定である。具体的に、被着領域２５には、直接に接着剤が塗布される、又は、被着領域２５が壁８における接着剤が塗布される領域に重ねられることで間接に接着剤が塗布される。また、本実施形態においては、壁８に貼り付けられた壁紙８１は、貼り付け領域８１における被着領域２５と重なる部位の表面から除かれているのが好ましい。貼り付け領域８１における被着領域２５と重なる部位に壁紙８１が無いことにより、この部位に対する接着剤の塗布性が向上し施工性が向上し、壁貼付部材１と壁８との接着力もより高いものとなる効果も得られる。
【００２３】
本実施形態の基材層２の幅は、基材層２の長手方向において上端縁２４の異形形状によって連続的に変化する。巾木の場合、基材層２の幅は、例えば、３ｃｍ程度以上６０ｃｍ以下であり、好ましくは、６ｃｍ以上４０ｃｍ以下である。基材層２の厚みは、０．５ｍｍ以上５．０ｍｍ以下であり、好ましくは、１．５ｍｍ以上３．０ｍｍ以下である。また、腰壁の場合、基材層２の幅は、例えば、６０ｃｍ以上１００ｃｍ以下である。
【００２４】
また、基材層２の長手方向の長さは、特に限定されず、図１に示すような短尺でもよいし、長尺でもよい。短尺は、長さが３０ｃｍ以上１５０ｃｍ未満であり、生産性に優れる。長尺は、長さが１５０ｃｍ以上５０ｍ以下であり、施工性に優れる。
【００２５】
本実施形態の基材層２の材料は、軟質又は硬質の樹脂である。軟質樹脂を用いることによって、壁貼付部材が柔軟性や可撓性を有することとなり、平面のみならず曲面の壁へも貼り付けることが可能となる。上記樹脂としては、塩化ビニル樹脂、オレフィン系樹脂、酢酸ビニル樹脂、エチレン−酢酸ビニル共重合体、エチレン−メタクリレート樹脂などのアクリル系樹脂、アミド系樹脂、エステル系樹脂、オレフィン系エラストマーやスチレン系エラストマーなどの各種エラストマー、ゴムなどが挙げられる。耐久性に優れ、製造効率に優れることから、塩化ビニル樹脂が好ましい。樹脂は、非発泡でもよいし、発泡されていてもよい。上記樹脂には、各種添加剤が含まれ、例えば、充填剤、可塑剤、難燃剤、安定剤、酸化防止剤、滑剤、着色剤、発泡剤などが必要に応じて配合される。
【００２６】
また、本実施形態の基材層２の厚み方向において一面２０と反対側に位置する他面２２は、基材層２が露出した無地であるが、意匠層が積層されていてもよい。意匠層は、印刷フィルム、塩ビ被覆糸織物、塗料などによって構成され、模様や図柄、色彩などが表されている。塩ビ被覆糸織物とは、ポリエステル系樹脂などの芯材に、塩化ビニル系樹脂などの被覆層を設けた糸を用いた織物である。
【００２７】
また、基材層２又は意匠層の上からエンボス加工を行って、表面に凹凸を付与してもよい。この凹凸の種類は特に限定されないが、例えば、木目調、石目調、テキスタイル調等が挙げられる。
【００２８】
さらに、基材層２の他面２２には、基材層２又は意匠層の表面に、紫外線硬化樹脂などの表面保護層や各種ワックスを設けることが好ましい。
【００２９】
本実施形態の基材層２における下端縁２３側に位置する下端部２３０は、基材層２の幅方向における下側に位置する部位ほど、基材層２の厚み方向において一面２０から離れるように湾曲した部分である（図２及び図３参照）。そのため、下端部２３０は、壁貼付部材１が壁８に貼り付けられた状態において、基材層２の幅方向における下側に位置する部位ほど、壁８から離れるように湾曲する。また、本実施形態の下端部２３０は、幅方向における下側に位置する部位ほど、厚みが小さくなっている。本実施形態の基材層２における下端部２３０よりも上端縁２４側に位置する上側領域２６は平板状である。
【００３０】
下端縁２３は、基材層２の長手方向に沿って延びる直線状である。本実施形態の下端縁２３の略全体は、壁貼付部材１が壁８に貼り付けられた状態において、床９と接触する。
【００３１】
上端縁２４は、例えば、基材層２の長手方向に沿って延びる曲線状である。本実施形態の上端縁２４は、波状、例えば、正弦波状である。また、本実施形態の上端縁２４は、上方に突出した突出部位２４０と、下方に凹入した凹入部位２４１と、を有する（図１参照）。突出部位２４０は、帯状の上端縁２４の幅方向における中央に位置する仮想線Ｌ１よりも上方に位置する部位である。凹入部位２４１は、上端縁２４の幅方向における中央に位置する仮想線Ｌ１よりも下方に位置する部位である。
【００３２】
被着領域２５は、基材層２の一面２０の下端縁２３から所定幅において、例えば、長方形状に広がっている（図３参照）。また、被着領域２５の上端縁２５０及び下端縁２５１は、いずれも、直線状である。
【００３３】
接着部材層３は、基材層２の一面２０の被着領域２５よりも上端縁２４側に配置されている。また、本実施形態の基材層２の幅方向における接着部材層３の幅Ｗ１は、基材層２の幅方向における被着領域２５の幅Ｗ２よりも狭い。さらに、本実施形態の接着部材層３は、基材層２の一面２０のうち上端縁２４における突出部位２４０の最上端２４００から上端縁２４における凹入部位２４１の最下端２４１０よりも下方の領域まで覆っている。本実施形態の接着部材層３の下端縁３２は、基材層２の長尺方向に沿った直線状である。
【００３４】
また、本実施形態の接着部材層３は、非硬化性接着剤を含む層である。ここで、硬化性接着剤とは、化学反応または溶媒の揮発などによって非可逆的に硬化して接着させる接着剤をいう。非硬化性接着剤とは、経時的な硬化を伴わない粘着などによる接着剤をいう。本明細書では、非硬化性接着剤には、粘着剤（感圧接着剤）のみならず、熱可塑性樹脂接着剤をも含むものとする。粘着剤（感圧接着剤）は、溶液、熱などの作用を必要とせず、常温で短時間、わずかな圧力をかけるだけで他の表面に接着できる接着剤である。熱可塑性樹脂接着剤としては、エチレン酢酸ビニル（ＥＶＡ）などのホットメルト接着剤が挙げられる。
【００３５】
接着部材層３は、粘着剤、ホットメルト接着剤などを含んで構成される。たとえば、本実施形態の接着部材層３は、樹脂製の織布基材の両面に粘着剤が設けられた両面粘着テープである。樹脂製の織布基材は、透明であっても透明でなくてもよいが、施工後に目立たないことから透明であることが好ましい。粘着剤としては、アクリル系、ラテックス系などが挙げられるが、低温接着性、非変色性の観点からアクリル系が好ましい。より具体的に、本実施形態の接着部材層３は、織布基材としてポリエチレンクロスが用いられ、その両面にアクリル系粘着剤が設けられた両面粘着テープである。ポリエチレンクロスは、表面に微細な凹凸が形成されるので、両面粘着テープの接着力を向上させることができる。一般的に壁紙は、表面に汚れ防止のためにコーティング層が形成されていることが多いけれども、本実施形態の接着部材層３は、コーティング層の上からであっても強固に接着することができる。接着部材層３は、厚みが０．２０ｍｍ以上０．５０ｍｍ以下が好ましい。この上限値以下であると、施工後に壁貼付部材１を見た際、接着部材層３のある部分とない部分とで段差が視認され難くなる。
【００３６】
離型紙４は、接着部材層３を被覆することにより、壁８と異なる領域に接着部材層３が貼りつくことを防ぐ部材である。たとえば離型紙４は、パルプにフッ素樹脂などがコーティングされて構成される。本実施形態の離型紙４は、施工時に施工職人が引っ張ることにより接着部材層３から剥がされることから、引っ張っても切断されない強度を有することが好ましい。
【００３７】
上述の壁貼付部材１は、接着部材帯状層が重ねられた基材原反部材を切断することによって製造される。以下、この壁貼付部材１の製造方法について図５〜図７を用いて説明する。
【００３８】
まず、準備工程として、所定幅の長尺帯状の基材原反部材１２を形成する（図５参照）。基材原反部材１２は、例えば、押出成形により形成される。本実施形態の製造方法では、この押出成形の際に、基材原反部材１２の幅方向における一方の端部は、幅方向における一方側に位置する部位ほど、厚み方向において湾曲した形状となる。
【００３９】
また、基材原反部材１２の表面に、印刷フィルムのラッピング、塩ビ被覆糸織物の貼付け、グラビア印刷、インクジェット印刷などを行うことによって、意匠層を設けることができる。さらに、基材原反部材１２又は意匠層の上に、硬化前の紫外線硬化樹脂を塗布し、紫外線を照射して紫外線硬化樹脂を硬化させて表面保護層を形成してもよい。これによって、効率よく壁貼付部材を製造することができる。
【００４０】
次に、接着部材帯状層１３を設ける工程として、所定幅で長尺帯状に形成された基材原反部材１２の一面１２０に、所定幅で基材原反部材１２の長尺方向に延びる接着部材帯状層１３を設ける（図６参照）。この接着部材帯状層１３は、例えば、接着部材帯状層１３の幅方向における一端縁１３１が基材原反部材１２の幅方向における一端縁１２１に重なった状態で配置される。
【００４１】
次に、接着部材帯状層１３及び基材原反部材１２を切断する工程である切断工程として、接着部材層３の幅が接着部材層３の長手方向において不均一となるよう、基材原反部材１２、及び、接着部材帯状層１３を切断する（図７参照）。尚、本実施形態の離型紙４を備えた壁貼付部材１は、例えば、基材原反部材１２に接着部材帯状層１３が配置された後、接着部材帯状層１３の基材原反部材１２が設けられた一面１３０とは反対側の他面１３２に離型紙帯状体１４を重ねた後、基材原反部材１２、及び、接着部材帯状層１３と共に、離型紙帯状体１４を切断することで製造される。
【００４２】
また、意匠層及び表面保護層の形成は、前記準備工程で行ってもよいが、切断工程の後に行ってもよい。切断工程の後に行うことによって、切断面を覆って意匠層及び表面保護層を形成することができ、意匠性及び耐久性に優れた壁貼付部材１を製造することができる。
【００４３】
以上の壁貼付部材１の製造方法によれば、接着部材帯状層１３が設けられた基材原反部材１２を、接着部材層３の幅が長手方向において不均一となるよう切断することで、壁貼付部材１における上端縁２４側に接着部材層３が配置された壁貼付部材１、即ち、壁貼付部材１の施工の際に接着剤の塗布が必要な領域が単純な形状の被着領域２５である壁貼付部材１を製造することができるため、異形形状であると共に施工が容易な壁貼付部材１を製造することができる。尚、壁貼付部材１が異形形状であるとは、壁貼付部材１の形状が、従来の帯状の幅木や腰壁の形状（上端縁と下端縁とが略直線でかつ平行に延びた巾木や腰壁の形状）と異なることである。
【００４４】
以上の壁貼付部材１は、基材層２の被着領域２５、及び、壁８における被着領域２５が重ねられる重なり領域８２のうち少なくとも一方に接着剤が塗布された後、塗布された接着剤及び接着部材層３を用いて壁に貼り付けられる。以下、壁貼付部材１の壁８への施工方法の例について、図８〜図１０を用いて説明する。
【００４５】
本実施形態の壁貼付部材１の施工の際には、まず、壁紙８１を剥がす工程として、壁８のうち基材層２の被着領域２５が重ねられる重なり領域８２において、壁紙８１を剥がす（図８参照）。具体的に、壁紙８１を剥がす工程として、壁紙８１のうち上方の位置に切れ目を入れた後、壁紙８１を引っ張ることにより、重なり領域８２における壁紙８１を剥がす。壁紙８１の切れ目の形状は、例えば、境界αに沿って延びる直線状である。また、壁紙８１の切れ目の位置は、境界αから壁貼付部材１の被着領域の幅Ｗ２だけ上方の位置に略等しい。本実施形態の壁紙８１の切れ目の位置は、境界αから被着領域２５の幅Ｗ２だけ上方の位置から若干下方の位置、例えば、約５ｍｍ下方の位置である。本実施形態の重なり領域８２は、長尺の帯状、例えば、長方形状である。
【００４６】
次に、接着剤を塗布する工程として、壁紙８１が剥がされた貼り付け領域８０、又は壁貼付部材１の被着領域２５に接着剤を塗布する。塗布が容易で接着剤の硬化が早いなど施工性に優れることから、接着剤を貼り付け領域８０に塗布するのが好ましい。接着剤の塗布は、櫛目ごて、又はコーキングガンにより行われる。施工性の観点から、基材層２が軟質樹脂の場合、櫛目ごてが好ましく、硬質樹脂の場合、コーキングガンが好ましい。接着剤８３は、硬化することにより機能を発揮する硬化性接着剤であり、例えば、ビニル共重合樹脂系溶剤形やゴム系ラテックス形の接着剤である。また、この接着剤は、硬化までに数十分程度の時間を要する。
【００４７】
次に、塗布された接着剤８３及び接着部材層３を用いて壁貼付部材１を貼り付ける工程として、接着剤８３を塗布した貼り付け領域８０及びその上方に、壁貼付部材１を貼り付ける。具体的に、離型紙４の摘み部４０を形成する工程として、離型紙４のうち基材層２の長手方向における少なくとも端部、例えば、約１ｃｍ〜９ｃｍの端部のみを接着部材層３から剥がして、後述する摘み部４０とする。次に、壁貼付部材１を貼り付ける工程として、基材層２の被着領域２５を、接着剤を塗布した貼り付け領域８０に一致するよう重ねて位置決めし、軽く押圧して壁貼付部材１が壁から剥がれないようにする（図９参照）。尚、この押圧により、貼り付け領域８０に塗布された接着剤は、接着部材層３の下端縁３２まで広がる。離型紙４は、摘み部４０以外の領域で接着部材層３を覆っているので、壁貼付部材１が壁に強固に接着されることなく、微調整など位置決めが容易になる。また、軽く押圧した後でも、簡単に剥がして位置を変更させることができる。次に、離型紙４を剥がす工程として、離型紙４の摘み部４０を摘まんで離型紙４の全体を剥がし（図１０参照）、壁貼付部材１をローラーで圧着する。このとき、離型紙４が引っ張っても切断されない強度を有すると、離型紙４の除去を一度に行うことができるので、より効率的に作業を行うことができる。
【００４８】
以上の壁貼付部材１によれば、壁貼付部材１の幅が不均一となっている、具体的には、基材層２の上端縁２４が波状となっているため、壁貼付部材１が異形形状となっている。また、壁貼付部材１における上端縁２４側の部位に接着部材層３が配置されているため、壁貼付部材１の施工の際に接着剤の塗布が必要な領域が、接着部材層３よりも下側に位置する単純な形状を有する被着領域２５、具体的には、長方形状の被着領域２５であることから、異形形状の壁貼付部材１の施工が容易になる。
【００４９】
また、以上のような施工方法により、被着領域２５に塗布された接着剤８３は、図１１に示すように、硬化して接着剤層８４を形成し、基材層２を壁８の表面に固定する。基材層２は、接着剤層８４及び接着部材層３を介して壁８と一体の構造体８５となる。この構造体８５においては、基材層２の上端縁２４と接着部材層３の上端縁３３とはほぼ一致し、基材層２の下端縁２３と接着剤層８４の下端縁８４０とはほぼ一致する。このため、構造体８５における基材層２、接着部材層３、及び、接着剤層８４の全体の上端縁と下端縁との間の幅は、壁貼付部材１と同様に長手方向において不均一である。
【００５０】
このような構造体８５は、壁８と、下側に位置し且つ前記壁８における該壁８と床９との境界αに沿って延びる下端縁８４０及び上側に位置する上端縁８４１を有すると共に、壁８の表面に接する接着剤層８４と、下側に位置し且つ接着剤層８４の上端縁８４１に沿って延びる下端縁３２及び上側に位置する上端縁３３を有すると共に、壁８の表面に接する接着部材層３と、上側に位置し接着部材層３の上端縁３３と一致する上端縁２４及び下側に位置し接着剤層３の下端縁８４０と一致する下端縁２３を有すると共に、接着剤層８４の表面及び接着部材層３の表面にそれぞれ接し、樹脂製であり且つ帯状の基材層２と、を含む。
【００５１】
以上の壁貼付部材１の施工方法によれば、壁貼付部材１における上端縁２４側に接着部材層３が配置されているため、壁貼付部材１の施工の際に接着剤の塗布が必要な領域が、接着部材層よりも下側に位置する単純な形状を有する被着領域２５、或いは、壁８における被着領域２５が重ねられる重なり領域８２であることから、異形形状の壁貼付部材１を容易に施工することができる。
【００５２】
本実施形態の壁貼付部材１の施工方法によれば、壁８における重なり領域８２において壁紙８１を剥がすことで、被着領域２５において壁８に壁貼付部材１をより強固に接着することができる。
【００５３】
また、本実施形態の壁貼付部材１の施工方法によれば、施工の途中まで接着部材層３が離型紙４により覆われているため、持ち運びや施工を容易に行うことができる。具体的には、接着部材層３が壁８以外の部材や壁８における所望の位置と異なる位置に誤って接着されることを抑えることができる。
【００５４】
さらに、本実施形態の壁貼付部材１の施工方法によれば、基材層２の被着領域２５を、硬化していない接着剤８３が塗布された壁８の重なり領域８２に重ねることができるため、壁貼付部材１が重ねられた状態においても、接着剤が硬化するまで前の流動性のある状態の間に壁貼付部材１の貼り付け位置や壁貼付部材１の向きを微調整することができる。
【００５５】
本実施形態の壁貼付部材１の施工方法によれば、壁紙８１は、境界αから壁貼付部材１の被着領域２５の幅Ｗ２だけ上方の位置から約５ｍｍ下方の位置まで剥がされるため、接着部材層３と壁紙８１とは、約５ｍｍの幅において重なることになる。これにより、壁貼付部材１の寸法に誤差が生じていても、基材層２の一面２０の全体が接着部材層３或いは塗布された接着剤８３により貼り付けられる。
【００５６】
また、本実施形態の壁貼付部材１の施工方法によれば、壁貼付部材１が壁８に重ねられた状態において、塗布された接着剤８３の上方に、例えば、両面粘着テープである接着部材層３が設けられるため、施工の際に接着剤８３が硬化する前の流動性のある状態の際に壁貼付部材１の上端縁２４方向に移動するのをブロックして被着領域２５内に留めることができる。このため、壁貼付部材１からはみ出すことを抑えることができる。接着剤の硬化後には、壁貼付部材１は、接着部材層３と硬化した接着剤によって、ひずみが少なく、安定した状態で固定される。
また、壁貼付部材１は、腰壁の場合であっても上述のように巾木と同様に施工することができる。巾木は、上下の幅が腰壁よりも狭いので、接着剤の塗布面積が小さく、短時間での施工が可能となる。腰壁は、接着剤の塗布面積が大きくなるけれども、接着剤の硬化前に位置合わせなど問題なく行うことができ、施工性に優れる。また、一般的に腰壁は、壁に貼り付けた後、上端縁を見切り材で覆って、上端縁からはみ出した接着剤を隠すことが多いが、本発明の壁貼付部材１は、腰壁の場合であっても、接着部材層３によって接着剤のはみ出しが抑制されるので、見切り材が不要となり、短時間で施工することができる。
【００５７】
尚、本発明の壁貼付部材は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００５８】
例えば、壁貼付部材１の基材層２における上端縁２４は、正弦波以外の波状であってもよい。具体的に、上端縁２４は、図１２（ａ）に示す三角波状、図１２（ｂ）に示す振幅や位相等がランダムな波状、図１２（ｃ）に示す矩形波状、のこぎり波状等であってもよい。また、上端縁２４は、波状以外の直線状や曲線状であってもよい。具体的に、上端縁２４は、図１３（ａ）に示す二つの直線により構成され且つ基材層２の長手方向における中央が上方に突出する形状、即ち、直線状の山形状、図１３（ｂ）に示す基材層２の長手方向における一方側ほど基材層２の幅が小さくなるような直線状、即ち、下端縁２３に対して傾斜した斜線状等であってもよい。また、上端縁２４は、円弧状等であってもよい。以上の壁貼付部材１によっても、壁貼付部材１を異形形状とすることができる。
【００５９】
尚、基材層２の上側領域の上端部は、壁貼付部材１が壁８に貼り付けられた状態において、壁８側に近づくように延びる形状、例えば、壁８側に近づくように湾曲した形状となっていてもよい。加えて、上端部の湾曲部分が目立たないように先端に行くにつれて細い、例えば鳥の嘴状となっていることが好ましい。このような壁貼付部材１によれば、基材層２の上側領域の上端部が接着部材層３の上端部の少なくとも一部を覆っているため、壁貼付部材１を斜め上方から見たとしても接着部材層３が見えにくく、壁貼付部材１の外観が好ましくなる。また、基材層２の上側領域の上端部は、他面２２側において滑らかに湾曲していてもよい。基材層２の上側領域の上端部は、基材原反部材１２を温めた刃を用いて切断することで、上側領域２６の上端部２６０が鍔状であり且つ他面２２側において滑らかに湾曲した形状としてもよい。
【００６０】
接着部材層３は、図１４に示すように、基材層２の一面２０のうち上端縁２４における突出部位２４０の最上端２４００よりも下方位置から、上端縁２４における凹入部位２４１の最下端２４１０よりも下方の領域まで覆っていてもよい。従って、このような壁貼付部材１においても、壁貼付部材１の施工の際に接着剤の塗布が必要な領域が、接着部材層３よりも下側に位置する単純な形状を有する被着領域２５、具体的には、上端縁２５０及び下端縁２５１が直線状な被着領域２５であることから、異形形状の壁貼付部材１の施工が容易になる。さらに、この壁貼付部材１によれば、基材層２の上側領域２６の全体が平板状であったとしても、斜め上方から壁貼付部材１を見ても接着部材層３が見えにくく、壁貼付部材１の外観が好ましくなる。
【００６１】
また、接着部材層３の下端縁３２は、図１５に示すように、接着部材層３の長尺方向における一方側の部位ほど下方に位置する直線状であってもよい。このような壁貼付部材１において、基材層２の被着領域２５の上端縁２５０及び下端縁２５１は、直線状である。従って、このような壁貼付部材１においても、壁貼付部材１の施工の際に接着剤の塗布が必要な領域が、接着部材層３よりも下側に位置する単純な形状を有する被着領域２５、具体的には、上端縁２５０及び下端縁２５１が直線状な被着領域２５であることから、異形形状の壁貼付部材１の施工が容易になる。
【００６２】
さらに、接着部材層３は、図１６に示すように、基材層２の一面２０のうち上端縁２４における最上端２４２よりも下方の位置から上端縁２４における最下端２４３よりも上方の位置まで広がっていてもよい。このような壁貼付部材１においても、壁貼付部材１における上端縁２４側の部位に接着部材層３が配置されているため、壁貼付部材１の施工の際に接着剤の塗布が必要な領域が、接着部材層３よりも下側に位置する単純な形状を有する被着領域２５、具体的には、上端縁２５０の少なくとも一部が直線状な被着領域２５であることから、異形形状の壁貼付部材１の施工が容易になる。
【００６３】
壁貼付部材１の製造方法において、接着部材帯状層１３は、例えば、接着部材帯状層１３の幅方向における一端縁１３１が基材原反部材１２の幅方向における一端縁１２１に重ならない状態で配置されてもよい。この場合、例えば、図１７に示すように、接着部材帯状層１３の幅方向における一端縁１３１に交差する正弦波に沿って接着部材帯状層１３及び基材原反部材１２を切断することで、図１４に示した壁貼付部材１を製造することができる。
【００６４】
また、図１８に示すように、接着部材帯状層１３を基材原反部材１２の幅方向における中央位置に配置し、且つ、接着部材帯状層１３の幅方向における中央位置において正弦波に沿って接着部材帯状層１３及び基材原反部材１２を切断することで、図１〜図３に示した壁貼付部材１を製造することができる。さらに、図１９に示すように、接着部材帯状層１３を基材原反部材１２の幅方向における中央位置に配置し、ランダムな波に沿って接着部材帯状層１３及び基材原反部材１２を切断することで、図１６に示した壁貼付部材１を製造することができる。この場合、上下方向において反転させたときに重なるランダムな波に沿って接着部材帯状層１３及び基材原反部材１２を切断することで、同一の壁貼付部材１が二つ得られる。このような場合において、一つの基材原反部材１２及び一つの接着部材帯状層１３から、二つの壁貼付部材１を同時に製造することができる。
【００６５】
上記実施形態の壁貼付部材１の製造方法では、接着部材帯状層１３が設けられた基材原反部材１２を刃により切断していたが、接着部材帯状層１３が設けられた基材原反部材１２を打ち抜くことで幅が不均一な壁貼付部材１が形成されてもよい。
【００６６】
壁貼付部材１の施工方法は、壁貼付部材１が塗布した接着剤と接着部材層３とにより壁８に貼り付けることができる範囲で、各施工工程を省いたり、各施工工程の順序を入れ替えたりすることができる。例えば、壁貼付部材１の施工方法において、基材層２の被着領域２５、及び、壁８における重なり領域８２のうち少なくとも一方に接着剤を塗布する工程と、塗布された接着剤を用いて被着領域２５を重なり領域８２に貼り付ける工程と、接着部材層３を壁８に貼り付ける工程と、離型紙４を接着部材層３から剥がす工程と、の順序は入れ替わってもよい。或いは、壁貼付部材１の施工方法は、離型紙４の摘み部４０を形成する工程を含まなくてもよい。具体的に、壁貼付部材１の施工方法において、壁紙８１を剥がす工程の後に、基材層２の被着領域２５や壁８における重なり領域８２に接着剤を塗布する工程を行い、離型紙４を剥がす工程を行った後に、接着部材層３を壁８に貼り付ける工程を行ってもよい。また、壁貼付部材１の施工方法において、離型紙４を剥がす工程を行った後に、壁紙８１を剥がす工程を行い、さらに、基材層２の被着領域２５や壁８における重なり領域８２に接着剤を塗布する工程を行った後に、接着部材層３を壁８に貼り付ける工程を行ってもよい。尚、接着剤の塗布の後に壁紙８１を剥がす場合、壁貼付部材１のみ、具体的には、基材層２の被着領域２５のみに接着剤を塗布すればよい。
【００６７】
また、壁貼付部材１の施工方法は、壁紙８１を剥がす工程を含まなくてもよい。或いは、壁貼付部材１が離型紙４を備えていなくてもよく、この場合、壁貼付部材１の施工方法は、離型紙４を剥がす工程を含まなくてもよい。例えば、壁貼付部材１の施工方法は、壁紙８１を剥がす工程を含まない場合、基材層２の被着領域２５及び壁８の重なり領域８２の少なくとも一方に接着剤を塗布する工程と、塗布された接着剤を用いて被着領域２５を重なり領域８２に貼り付ける工程と、離型紙４を接着部材層３から剥がす工程と、接着部材層３を壁８に貼り付ける工程と、を含んでもよい。
【符号の説明】
【００６８】
１…壁貼付部材、１２…基材原反部材、１２０…一面、１２１…一端縁、１３…接着部材帯状層、１３０…一面、１３１…一端縁、１３２…他面、１４…離型紙帯状体、２…基材層、２０…一面、２１…一部、２２…他面、２３…下端縁、２３０…下端部、２４…上端縁、２４０…突出部位、２４００…最上端、２４１…凹入部位、２４１０…最下端、２４２…最上端、２４３…最下端、２５…被着領域、２５０…上端縁、２５１…下端縁、２６…上側領域、３…接着部材層、３０…一面、３１…他面、３２…下端縁、３３…上端縁、４…離型紙、４０…摘み部、８…壁、８０…貼り付け領域、８１…壁紙、８２…重なり領域、８３…接着剤、８４…接着剤層、８４０…下端縁、８４１…上端縁、８５…構造体、９…床、１０１…化粧幅木、１０２…合成樹脂板、１０３…舌状体、Ｌ１…仮想線、Ｗ１、Ｗ２…幅、α…境界
【図１】
2020033817.tif 000003
【図２】
2020033817.tif 000004
【図３】
2020033817.tif 000005
【図４】
2020033817.tif 000006
【図５】
2020033817.tif 000007
【図６】
2020033817.tif 000008
【図７】
2020033817.tif 000009
【図８】
2020033817.tif 000010
【図９】
2020033817.tif 000011
【図１０】
2020033817.tif 000012
【図１１】
2020033817.tif 000013
【図１２】
2020033817.tif 000014
【図１３】
2020033817.tif 000015
【図１４】
2020033817.tif 000016
【図１５】
2020033817.tif 000017
【図１６】
2020033817.tif 000018
【図１７】
2020033817.tif 000019
【図１８】
2020033817.tif 000020
【図１９】
2020033817.tif 000021
【図２０】
2020033817.tif 000022